(57)【要約】【課題】電子黒板システムの表示部に表示させる画像に対する描画状態の変遷を後から知ることができるように記録する。【解決手段】電子黒板システム１０は、画像データを表示する表示部１と、ユーザによる操作入力を受け付ける入力部２と、画像データを記録する記録部３と、入力部２に対する操作入力に応じて描画した画像データを、表示部１に表示されている画像データに合成して表示させる制御部５とを有する。制御部５は、所定のタイミングで、表示部１に表示されている画像データを記録部３に記録する。上記所定のタイミングは、予め規定された時間間隔による定期的なタイミング、または、入力部２に対する操作入力が所定時間なかったときのタイミングとすることができる。【選択図】図１
2014000777.tif 000002
【特許請求の範囲】
【請求項１】
画像データを表示する表示部と、ユーザによる操作入力を受け付ける入力部と、画像データを記録する記録部と、前記入力部に対する操作入力に応じて描画した画像データを、前記表示部に表示されている画像データに合成して表示させる制御部とを有し、
前記制御部は、所定のタイミングで、前記表示部に表示されている画像データを前記記録部に記録することを特徴とする電子黒板システム。
【請求項２】
請求項１に記載の電子黒板システムにおいて、
前記所定のタイミングは、予め規定された時間間隔による定期的なタイミング、または、前記入力部に対する操作入力が入力後所定時間なかったときのタイミングであることを特徴とする電子黒板システム。
【請求項３】
請求項１または２に記載の電子黒板システムにおいて、
前記制御部は、前記表示部に表示されている画像データを前記所定のタイミングで前記記録部に記録する場合、
記録を行う際に前記表示部に表示されている画像データの全体を記録するか、
または、前回前記記録部に画像データを記録した時点以降、もしくは予め外部記録手段に保持された画像データを前記電子黒板システムが備えるインタフェースにより取得して前記表示部に表示させた時点以降に、新たに描画された画像データのみを記録することを特徴とする電子黒板システム。
【発明の詳細な説明】
【技術分野】
【０００１】
本発明は、電子黒板システム、より詳細には、表示部に対する入力を検出して表示部の表示画面に描画を行う電子黒板システムに関する。
【背景技術】
【０００２】
電子黒板システムは、例えば表示部と、表示部の表示面に対するタッチペンや人間の手による操作入力を検出して、その操作入力に基づく描画処理を行うコンピュータとによって構成されている。
コンピュータは、外部機器などの外部記録手段に予め保持しておいた画像データを取得して表示部に表示させ、その画像データに対して新たに描画を行うための所定の操作入力を受け付けて、表示させた画像データと操作入力の検出結果に係る描画画像データとを合成させて表示させることができる。これにより、ユーザは、表示部の表示画面に対して、自由な描画を行うことができる。
また、表示部に表示され、適宜操作入力により描画が加えられた画像データは、電子黒板システムの記録部に記録しておくことができる。
【０００３】
電子黒板システムに関して、特許文献１には、大型ディスプレイの表示画面よりも大きな描画用画面を画面表示用メモリに記憶し、画面表示用メモリの描画用画面の任意の位置を表示するための縦横方向のスクロールを、縦スクロール・ボタンと横スクロール・ボタンとを使用して行うことができるようにした電子黒板システムが開示されている。
【先行技術文献】
【特許文献】
【０００４】
【特許文献１】特開２００２−２６８６１７号公報
【発明の概要】
【発明が解決しようとする課題】
【０００５】
上記のように、電子黒板システムでは、表示部に表示され、適宜操作入力により描画が加えられた画像データを記録しておくことができる。
しかしながら、従来の電子黒板システムでは、記録する画像データは、ユーザが所定の操作を行って記録を指示したときに表示部に表示されている画像データであり、ユーザが順次描画していったときの描画の順序を後から知ることはできない。
【０００６】
例えば、ＰＣなどの外部機器で作成した会議資料を電子黒板システムの表示部に表示させ、議事の進行に従って描画が行われ、最初の会議資料に対して新たに書き込みが行われたような場合、会議終了時に表示部に表示された画像データを記録しても、その画像データからは、議事の進行に応じた会議資料への書き込みの変遷を読み取ることはできない。
【０００７】
描画の順序を後から知りたければ、ユーザは、表示部に対して書き込みを行うときのいくつかの段階で、表示部に表示された画像データを記録する操作を行うことが必要となるが、この手法では手間がかかり煩雑である。
【０００８】
また、特許文献１には、電子黒板システムの表示画面よりも大きな描画用画面を記憶しておく構成は開示されているものの、表示装置の表示画面の変化の状態がわかるように記録するものは開示されていない。
【０００９】
本発明は、上述のごとき実情に鑑みてなされたものであり、電子黒板システムの表示部に表示させる画像に対する描画状態の変遷を後から知ることができるように自動的に記録する電子黒板システムを提供することを目的とするものである。
【課題を解決するための手段】
【００１０】
上記課題を解決するために、本発明の第１の技術手段は、画像データを表示する表示部と、ユーザによる操作入力を受け付ける入力部と、画像データを記録する記録部と、前記入力部に対する操作入力に応じて描画した画像データを、前記表示部に表示されている画像データに合成して表示させる制御部とを有し、前記制御部は、所定のタイミングで、前記表示部に表示されている画像データを前記記録部に記録することを特徴とした電子黒板システムである。
【００１１】
第２の技術手段は、第１の技術手段において、前記所定のタイミングは、予め規定された時間間隔による定期的なタイミング、または、前記入力部に対する操作入力が入力後所定時間なかったときのタイミングであることを特徴とした電子黒板システムである。
【００１２】
第３の技術手段は、第１または２の技術手段において、前記制御部は、前記表示部に表示されている画像データを前記所定のタイミングで前記記録部に記録する場合、記録を行う際に前記表示部に表示されている画像データの全体を記録するか、または、前回前記記録部に画像データを記録した時点以降、もしくは予め外部記録手段に保持された画像データを前記電子黒板システムが備えるインタフェースにより取得して前記表示部に表示させた時点以降に、新たに描画された画像データのみを記録することを特徴とした電子黒板システムである。
【発明の効果】
【００１３】
本発明によれば、電子黒板システムの表示部に表示させる画像に対する描画状態の変遷を後から知ることができるように自動的に記録する電子黒板システムを提供することができる。
【図面の簡単な説明】
【００１４】
【図１】本発明による電子黒板システムの構成例を示すブロック図である。
【図２】本発明による電子黒板システムにおける処理の一例を説明するためのフローチャートである。
【図３】本発明による電子黒板システムにより画像データを記録する際の処理例を説明するための図である。
【図４】本発明による電子黒板システムにより画像データを記録する際の処理例を説明するための他の図である。
【図５】本発明による電子黒板システムにより画像データを記録する際の処理例を説明するための更に他の図である。
【発明を実施するための形態】
【００１５】
図１は、本発明による電子黒板のシステムの構成例を示すブロック図である。電子黒板システム１０は、表示部１、入力部２、記録部３、通信Ｉ／Ｆ部４、及び制御部５を備えている。
表示部１は、画像データを表示させるもので、大型の液晶パネルなどを適用することができる。表示部１に表示させる画像データは、例えばＰＣなどの外部記録装置や可搬型の記憶媒体等の記憶手段から電子黒板システムに入力された画像データや、入力部２に対する操作入力によってユーザにより描画された画像データ、あるいは外部記録装置から入力された画像データに対してユーザ操作によって描画が加えられた画像データ等である。
【００１６】
入力部２は、ユーザによる操作入力を受け付けるもので、表示部１に取り付けたタッチパネルとして構成することができる。タッチパネルとしては、タッチペンや人間の手などの物体が接触することによって変化する静電容量を検知する静電容量センサを備えたものや、物体の接触圧を検知する圧力センサを備えたものを採用することができる。また、表示部１の画面に平行に照射された１方向の光または縦方向および横方向の２方向の光が遮断されたことを検知して、物体が表示部１の表示画面に接近または接触したことを検知する光学検知装置を採用することができる。
また、入力部２には、ハードキーやボタン、あるいはマウスなどのポインティングデバイス等の操作入力手段を適宜適用することができる。
【００１７】
記録部３は、表示部１に表示させる画像データを記録する。記録部３は、制御部５の制御に従って、表示部１に表示させた画像データ、あるいは所定期間内で新たに描画された画像データを適宜記憶する。また、記録部３は、制御部５により実行される電子黒板システム１０を動作させるための各種プログラムやデータを記憶する。例えば入力部２に対する操作入力に応じて描画を行い、外部記録装置２０等から取得した画像データに描画した画像データを合成して表示部１に表示させる描画プログラムを記憶する。
【００１８】
通信Ｉ／Ｆ（インタフェース）部４は、ＰＣ（Personal Computer）などの外部記録装置２０に記録されている画像データを入力するインタフェースである。通信手段は、例えばＶＧＡ（Video Graphics Array）やＨＤＭＩ（High-Definition Multimedia Interface）などに基づく各種の有線通信方式や、Ｂｌｕｅｔｏｏｔｈ（登録商標）やＷｉＦｉ等の無線通信プロトコルに準拠した無線通信方式等を適宜適用することができる。また、通信Ｉ／Ｆ部４は、ＵＳＢメモリ等の可搬型の記録媒体とのデータを送受信するインタフェースとして構成することができる。あるいはネットワークに接続して外部サーバから画像データを受信できる通信インタフェースを構成することができる。
【００１９】
制御部５は、電子黒板システム１０の各部を制御する。制御部５は、例えば外部記録装置２０などの外部記録手段に保持されている画像データを通信Ｉ／Ｆ部４を介して読み出し、表示部１に表示させる。例えば、外部記録装置２０で作成された会議資料などの画像データを表示部１に表示させることができる。
また、制御部５は、入力部２に対する操作入力に応じて、表示部１の表示画面に描画を行う。このとき例えば入力部２のタッチパネルや光学検知装置により表示画面上の操作位置の座標情報を検出し、その座標情報に応じて表示部１に描画を行う。また、制御部５は、外部記録装置２０等の外部記録手段から読み出して表示部１に表示させた画像データに対して、入力部２に対する入力操作に応じた描画画像を合成して表示させる。
【００２０】
制御部５は、表示部１に表示された画像データを、所定のタイミングで記録部３に記録する。所定のタイミングは、予め定めた定期的なタイミングとし、もしくは入力部２に対する操作入力が入力後所定時間なかったときとする。これらのタイミングをいずれにするかは、ユーザが設定することができる。そして制御部５は、定期的もしくは所定時間操作入力がないときに記録した画像データが複数あれば、これら複数の画像データを１つのファイルにまとめて記録させることができる。
【００２１】
複数の画像データを記録させる際には、表示部１に表示されている画像データの全体を記録するか、または、前回記録部３に画像データを記録した時点以降、もしくは予め外部記録手段に保持された画像データを取得して表示部１に表示させた時点以降に、新たに描画された画像データのみを記録することができる。
【００２２】
表示部１に表示されている画像データを定期的に、もしくは入力部２に対する操作入力が所定時間なかったときに随時記録しておくことで、煩雑なユーザ操作をその都度行うことなく、電子黒板システムに対する描画の変遷を後から確認することができるようになる。
【００２３】
図２は、本発明による電子黒板システムにおける処理の一例を説明するためのフローチャートである。以下、図１の構成を参照しながら説明する。
例えば電子黒板システム１０の電源が投入され、電子黒板システムにおける画像記録制御を行うための所定の操作入力が行われると、電子黒板システムの制御部５は、表示部１に表示させる画像データを記録させるタイミングの設定を確認する（ステップＳ１）。画像データの記録のタイミングは、予めユーザ操作により、定期的に記録するか、もしくは、入力部２に対する操作入力が所定時間なかったときに記録するか、のいずれかを設定しておくことができる。
【００２４】
画像データを記録させるタイミングが定期的なタイミングに設定されている場合、制御部５は、定期的なタイミングを規定する規定時間が経過したかどうかを監視し（ステップＳ２）、規定時間が経過すると、画像データを記録するものとし、予め定められている画像データの記録方式を確認する（ステップＳ４）。
【００２５】
また、ステップＳ１で画像データを記録させるタイミングが、所定時間操作入力がないときに設定されている場合、制御部５は、入力部２に対する操作入力がない状態で所定時間が経過したかどうかを判別し（ステップＳ３）、所定時間経過したときには、画像データを記録するものとし、画像データの記録方式を確認する（ステップＳ４）。
【００２６】
上記ステップＳ４において確認する画像データの記録方式は、現在表示部１に表示されている画像データ全体を記録するか、所定の時点以降に描画された画像データのみを記録するか、のいずれかが予めユーザ操作により設定されている。上記の所定の時点とは、前回記録部３に画像データを記録した時点、もしくは外部記憶手段から取得した画像データを表示部１に表示させた時点とする。
【００２７】
ステップＳ４で画像データの記録方式が画像データ全体とするように設定されている場合、制御部５は、現在表示部１に表示されている画像データ全体を記録部３に記録する（ステップＳ５）。
一方、ステップＳ４で記録方式が新たに描画された画像に設定されている場合、前回記録部３に画像データを記録した時点以降、もしくは予め外部記録手段に保持された画像データを取得して表示部１に表示させた時点以降に、新たに描画された画像データのみを記録部３に記録する（ステップＳ６）。
【００２８】
新たに描画された画像データのみを記録するようにすれば、データ量を大きく増やすことなく、描画による書き込みの変遷を後から知ることができる。また、その都度画像データ全体を記録させることにより、画像全体の変化を後から確認することができる。
また、記録部３に記憶する複数の画像データは、一つのファイルとしてまとめて記憶させておくことができる。このとき、外部記録装置２０などの外部記録手段から取得して表示部１に表示させた初期画像の画像データがあれば、その画像データもファイルに含めて記憶させておくことができる。
【００２９】
ステップＳ５、またはステップＳ６で画像データを記録部３に記録した後、入力部２に対する所定の操作入力により、記録を中止する指示があれば（ステップＳ７−Ｙｅｓ）、画像データの記録制御処理を終了する。また、記録を中止する指示がなければ、ステップＳ１に戻って、次の画像データの記録処理を続行する。
【００３０】
図３〜図５は、本発明による電子黒板システムにより画像データを記録する際の処理例を説明するための図で、所定の時点から新たに描画された画像データのみを記憶するときの処理例を示すものである。
図３は、表示部１の表示画像の変化の一例を示すもので、例えば、まず図３（Ａ）に示すように、外部のＰＣ等で作成された“雲”の画像データを取得して表示部１に表示させたものとする。このような画像データは、描画を行う前の背景画像として表示されたものとなる。
【００３１】
そして、電子黒板システムの描画機能を使用してユーザが新たな画像を描画することで、図３（Ｂ）に示すような“１ｓｔ”、図３（Ｃ）に示すような“２ｎｄ”、図３（Ｄ）に示すような“３ｒｄ”が順次書き込まれたものとする。
このとき、定期的もしくは所定時間ユーザ操作がなかったときに、図３（Ｂ）、図３（Ｃ）、図３（Ｄ）のように表示された表示画面から、新たに描画された画像データのみが記録される。この様子を図４に示す。図４（Ａ）の画像データは、予めＰＣ等の外部記録手段に保持された画像データを取得して表示部１に表示させた時点以降に、新たに描画された画像データである。また、図４（Ｂ）、図４（Ｃ）の画像データは、前回記録部３に画像データを記録した時点以降に新たに描画された画像データである。
【００３２】
図５は、記録部に記録した一連の画像データの保存状態を概念的に示すもので、上記の処理により記録した画像データがまとめられて１つのファイル３０として記録されている。またこのときに、外部記録装置２０等の外部記録手段から取得して初期表示した“雲”の画像データは、そのファイルに含ませて記録することができる。そしてユーザは目的のファイルを開くことで、一連の画像データの時系列の変遷を確認することができる。ここでは、１つのファイルにまとめずに、個別の画像データとして記録するものであってもよい。
【符号の説明】
【００３３】
１…表示部、２…入力部、３…記録部、４…通信Ｉ／Ｆ部、５…制御部、１０…電子黒板システム、２０…外部記録装置、３０…ファイル。
【図１】
2014000777.tif 000003
【図２】
2014000777.tif 000004
【図３】
2014000777.tif 000005
【図４】
2014000777.tif 000006
【図５】
2014000777.tif 000007